(57)【特許請求の範囲】
【請求項１】
着座部と、背もたれとを有する椅子のための枠であって、前記着座部及び前記背もたれを受けて支持するシート枠と、前記シート枠に取り付けられて前記シート枠を支持する支持枠とを含み、
前記シート枠は椅子に関して対称に実質的に連続して延伸するバーをループ状に形成したものであり、前記背もたれの背後に位置し前記背もたれを受けて支持するための横方向に延伸する２段に配設された上下支承バーと、前記上支承バーの両側部から前方に延び、続いて下方に延び、続いて後方に延びて前記下支承バーの両側部へと続く左右アーム部であって、該左右アーム部間に前記着座部を支持するための左右アーム部とを含み、前記上下支承バーは前記背もたれを前記上下支承バーに対して回動自在に取り付けるための上下支持部を有し、
前記支持枠は、ほぼＵ字型を形成する１対の支持部材であって、両下端部側で前記Ｕ字型の底部において互いに連結され、前記１対の支持部材の両上端が前記左右アーム部に対して回動自在となるように前記両上端においてそれぞれ前記左右アーム部に取り付けられる１対の支持部材を含む、
枠。
【請求項２】
着座部、背もたれ、前記着座部及び前記背もたれを受けて支持するシート枠と、前記シート枠に取り付けられて前記シート枠を支持する支持枠を含む椅子であって、
前記シート枠は椅子に関して対称に実質的に連続して延伸するバーをループ状に形成したものであり、前記背もたれの背後に位置し前記背もたれを受けて支持するために横方向に延伸する２段に配設された上下支承バーと、前記上支承バーの両側部から前方に延び、続いて下方に延び、続いて後方に延びて前記下支承バーの両側部に繋がる左右アーム部であって、該左右アーム部間に前記着座部を支持するための左右アーム部とを含み、前記上下支承バーは前記背もたれを前記上下支承バーに対して回動自在に取り付ける上下支持部を有し、
前記支持枠は、ほぼＵ字型を形成する１対の支持部材であって、両下端部側で前記Ｕ字型の底部において互いに連結され、前記１対の支持部材の両上端が前記左右アーム部に対して回動自在となるように前記両上端においてそれぞれ前記左右アーム部に取り付けられた１対の支持部材を含む、
椅子。
【請求項３】
請求項２の椅子であって、前記背もたれは横方向における中央部が後方に突出するように湾曲し、前記上下支承バーも後方に突出するように湾曲し、前記上下支承バーの曲率半径は前記背もたれの曲率半径よりも小さい椅子。
【発明の詳細な説明】
関連出願
本出願に相当する米国出願は、本出願人が出願した米国特許出願第793,357号（1992年１月出願）の継続出願である。その出願は更に1991年９月11日に出願番号第757,734号として部分継続出願されていたが、既に放棄されている。同出願は1989年５月２日、出願番号第381,151号として部分継続出願され、1991年４月23日に米国特許番号第5,009,466号として許可された。
発明の分野
本願は可撓性の（柔軟な）椅子に関する。
発明の背景
本発明者は上述の出願や特許で種々の形態の柔軟なリクライニング椅子を開示した。そしてそれらの原理に基づいた椅子はウイスコンシン州、グリーン・ベイ所在のクルーガ・インタナショナル・カンパニによりペリー・チェアーとして商業的に販売された。
発明の概要
本発明者は改良されたリクライニング椅子を開発した。その椅子は連続したループ状のシート枠の両アームを二枝の支持フォークで支持する形態のものである。このシート枠のループは、シート背もたれがその両横部において回動し得るように取付けられる上支承部からシート背もたれ部分の両側に伸び、更に前方、下方に伸びて支持フォークが回転し得るように取付けられるアーム部分を形成し、次に後方に伸びそして背もたれのところで上方に伸びて下支承部に達し、背もたれ部分はこの下支承部においても回転し得るように取付けられる。
シート枠のばね力、背もたれの回転作用、及び支持フォークのトーションと曲がり作用は協働して、経費を節減でき非常に座り心地の良いリクライニング椅子をもたらした。
本発明をより一層理解するために、以下の説明と添付図面を参照されたい。その説明と図面は本発明の一実施例を示すものである。
【図面の簡単な説明】
図１は本発明の椅子の斜視図である。
図２は図１に示す椅子の分解斜視図である。
図３は図１に示す椅子の静止位置における側面図である。
図４は図１に示す椅子の完全に傾斜した状態を示す側面図である。
図５は枠の連結を詳細に示す斜視図である。
図６はシート枠の別の実施例の斜視図である。
図７はシート枠の更に別の実施例の斜視図である。
図８は図１に示す椅子の平面図である。
発明の詳細な説明
図１はシート背もたれ10と着座部12がシート枠14によって連結されている状態を示す。シート枠14はその両側で支持フォーク26によって支持されていて、支持フォークは通常のベース・回転装置15によって支持されている。
シート枠14と支持フォーク26は分解斜視図である図２に一層明確に示されている。シート枠14は同一にして対称的なアーム部分14aをもった連続的なループを形成し、アーム部分は前方、下方に延長する。底部14bは後方、上方に延長し、後部14cは各アーム部分を連結し、後部14dは各底部を連結する。
シート枠14は好ましくは実質的に連続した7/16インチ（11.1mm）の棒材料で形成されるが、本発明の目的を達成するために必要な強度とばね力があれば他の材料で形成してもよい。シート枠の概略寸法は以下のとおりである。アーム部分14a間の水平間隔は（アーム部分14aが底部14bと連結される部分で）正面から見て約19インチ（48.26cm）、後部では（アーム部分14a）が後部14cに連結される部分で）約21インチ（53.34cm）である。後部14c、14d間の垂直間隔は約1 5/8インチ（4.1cm）から３インチ（7.62cm）である。椅子全体としての深さ、すなわち後部14c、14dからアーム部分が底部に連結される箇所までの寸法は約16インチ（40.64cm）である。アーム部分のほぼ中間位置にタブ20L、20Rが設けられる。低部14bとタブ20L、20R間の垂直間隔は約8 1/2インチ（21.6cm）である。
シート底部12を取付けるために底部に沿って好ましくはストラップ16、18が溶接される。タブ20L、20Rも同様にフォーク支持体26を取付けるためにシート枠14のアーム部分14aに溶接される。
シート背もたれ10がハードウェア（金物）17によって上支承部14Tと下支承部14Bの部分でシート枠14に回動可能に取付けられる。本発明の好ましい実施例では、上支承部14Tと下支承部14Bは湾曲部分30、32を有し、それらの湾曲部分はシート背もたれ10の曲率半径よりも小さい曲率半径をもっていて、それによって1992年１月９日に出願された本出願人による出願番号第793,357号に記載のようにシート背もたれ10の傾斜を制限することができる。しかし本実施例では、上部及び下部支承部14T、14Bは前記出願の場合よりも一層平行に近接していて、好ましくは1 5/8インチ（4.1cm）から３インチ（7.62cm）の範囲内の距離を保って配置されている。本発明者は、両当接面を接近させて配置すると枠10のばね作用が増大することを発見した。
フォーク支持体26は好ましくは1/2インチ（1.27cm）の棒材料から形成される。フォーク支持体はプレート28によって堅固に結合された２個の平行するバー26A、26Bを有する。バー26A、26Bの間隔は約２インチ（5.08cm）である。そしてバー26A、26Bの垂直方向の高さは約11インチ（27.94cm）である。両バーの左端、右端間の水平方向の間隔は約20インチ（50.8cm）である。更に図３、図４で一層明確に示されているように、バー26A、26Bはプレート28の垂直軸線から前方に約15゜傾斜している。
プレート28はその底部に開口30を有し、その開口内には当業界では公知のように回転支持柱と回転ベース組立体15が取付けられる。
次に図３、図４を参照すると、支持フォーク26A、26Bが２つの回転点Ａ、Ｂ（及び椅子の右側の同じ回転点）でほぼ同一程度にシート枠14を支持している。使用者が椅子に着座すると、その体重によってシート背もたれ10が下方に引っ張られて、シート背もたれ10は下支承部14Bを中心にして枢動するが、この枢動運動も、使用者の後方への圧力によってシート背もたれ10の頂部が上支承部14Tで回動するので、抵抗を受ける。シート背もたれ10の回動作用は更にシート枠14のばね力によって抵抗を受ける。従って、シート枠14のばね力は一般にシート背もたれ10に対する後方への圧力に対抗してシート背もたれ10を定位置に維持する。使用者が後方に寄り掛ると、後部回転点Ｂに大きい圧力がかかり、前部回転点Ａに上方への引張力が生じる。同時に、支持フォーク26A、26Bの双方は前方に曲ってトーション力を受けるが、使用者の体重には耐えている。
図５を参照すると、タブ20Lの好ましい構造が示されている。同図には垂直に位置した部分21が支持フォーク26A、26Bを取付けるための孔を具えている状態が示されている。好ましくは肘掛け又はクッションパッド（図示せず）を取付けるために水平面23が設けられる。
次に図６を参照する。少なくとも製造上の観点からしてみれば、図示するように比較的に直線状の支承部14T、14Bを設けることが望まれる。
図７には更に別の実施例を示す。同実施例では下支承部14Bを形成するためにシート枠14はその後方延伸部において一層急角度で傾斜している。上下支承部14T、14Bはハードウェア（金物）約19によってシート背もたれ10に回転可能に取付けられている。
本発明は上述の実施例に限定されるものではなく、本願請求の範囲によって定められるものである。
【図５】
0003626192.tif 000002
【図１】
0003626192.tif 000003
【図２】
0003626192.tif 000004
【図３】
0003626192.tif 000005
【図４】
0003626192.tif 000006
【図５】
0003626192.tif 000007
【図６】
0003626192.tif 000008
【図７】
0003626192.tif 000009
【図８】
0003626192.tif 000010